(57)【特許請求の範囲】
【請求項１】
ソート用の丸孔を穿孔する各ソート用パンチングピンの背面側に、該各ソート用パンチングピンに摺接して、振るい落し用のカット孔を穿孔するカット用パンチングピンを上下動可能に設置し、前記カット用パンチングピンのうち必要なカット用パンチングピンのみを、前記すべてのソート用パンチングピンと共に降下させて、カード類に前記各ソート用パンチングピンによる丸孔と、該丸孔のうち所定の丸孔と連なる所定のカット用パンチングピンによるカット孔を同時に穿孔することを特徴とするカード類の整理および管理用カードパンチ装置。
【発明の詳細な説明】
【技術分野】
【０００１】
本発明は、例えば、葬儀受付けにおいて預かった芳名カード、パーティにおける出席者カード、あるいは年賀はがき等のポストカードのようなカード類を整理および管理するためのカードパンチ装置であって、特に、１回のパンチング操作により、ソート用のソート棒を挿入する丸孔と、振るい落し用のカット孔を同時に穿孔することができるカードパンチ装置に関するものである。
【背景技術】
【０００２】
従来、例えば、葬儀後受付において預かった芳名カード、パーティにおける出席者カード、あるいは年賀はがき等のポストカードのようなカード(以下、「カード類」という)を整理および管理するため、１回のパンチング操作により、ソート用のソート棒を挿入する丸孔と、振るい落し用のカット孔を同時に穿孔することができるカードパンチ装置は実用に供されていない。
【０００３】
そして、従来、一般に使用されているホールソートを目的とするパンチカードは、カードの端縁部に検索（ソート）項目をカードに印刷し、その場所に合わせてソート用の丸孔を穿孔し、更に目的とする項目の丸孔のみに、１枚ずつ外側端縁部より、その都度はさみ（カット）を入れて、前記丸孔に連なる振るい落し用のカット孔を穿孔すると共に、全部のカードの右上の隅角部を斜めに切断して、すべてのカードを重ねて該斜めの切断面を合わせることにより、カード全部が表面を向き、その後、目的とする項目の丸孔にソート棒を挿入して振るうと、目的とするカードが前記ソート孔に連らなるカット孔によって、前記ソート棒に貫通されず、振るい落されて検索できるように形成されている。
【０００４】
前記ホールソートを目的とするカードパンチ装置につき過去の特許文献を遡及検索したが、１回のパンチング操作により、ソート用のソート棒を挿入する丸孔と、振るい落し用のカット孔を同時に穿孔することができるカードパンチ装置は１件も発見することができなかった。なお、整理を目的とするカードパンチとしては、下記の特許文献１に示す名刺整理用カードパンチが公知である。
【先行技術文献】
【特許文献】
【０００５】
【特許文献１】実開平１−１１００９５号公報
【発明の概要】
【発明が解決しようとする課題】
【０００６】
現在、葬儀受付において使用されている芳名カードは、ホールソートにより５０音順および香典金額ごとに検索(ソート)する手段がないため、受付担当者は５０音順に整理することもなく、また香典金額も会葬者によって一定しないために集計に手間取り、金額が合わない場合が生じ、喪主に引き渡すまで時間がかかるという課題があり、そして、一旦喪主側に引き渡された芳名カードを喪主がチェックする場合も、５０音順ではなく、ランダムにファイルされているだけなので、目的のカードを抽出するまで時間がかかるという課題があった。
【０００７】
また、パーティにおける出席者カード、あるいは年賀はがきなどのポストカードも、ホールソートにより５０音順ごとに検索(ソート)する手段がないため、簡単に５０音順に整理して管理することができないという課題があった。
【０００８】
更に、前記特許文献１に記載されたカードパンチを、カード類の整理および管理用のカードパンチとして利用するにしても、単にカード類の上端縁部に項目別に複数個のソート用の丸孔を穿孔するのみで、その後は振るい落し用のカット孔を、前記所定の丸孔に連なるよう、いちいちはさみ等でカットして設けなければならず、手間がかかり、特に葬儀やパーティの受付においては短時間で処理する必要があるため、前記特許文献１記載の発明を利用することができないという課題があった。
【０００９】
本発明は前記課題を解決すべくなされたもので、１回のパンチング操作でソート用のソート棒を挿入する丸孔と、振るい落とし用のカット孔を前記所定の丸孔に連なって連設することができるようにしたカード類の整理および管理用カードパンチ装置を提供しようとするものである。
【課題を解決するための手段】
【００１０】
本発明は、ソート用の丸孔を穿孔する各ソート用パンチングピンの背面側に、該各ソート用パンチングピンに摺接して、振るい落し用のカット孔を穿孔するカット用パンチングピンを上下動可能に設置し、前記カット用パンチングピンのうち必要なカット用パンチングピンのみを、前記すべてのソート用パンチングピンと共に降下させて、カード類に前記各ソート用パンチングピンによる丸孔と、該丸孔のうち所定の丸孔と連なる所定のカット用パンチングピンによるカット孔を同時に穿孔するという手段を採用することにより、上記課題を解決した。
【発明の効果】
【００１１】
前記構成より成る本発明によれば、ソート用の丸孔を穿孔する各ソート用パンチングピンの背面側に、該各ソート用パンチングピンに摺接して、振るい落し用のカット孔を穿孔するカット用パンチングピンを上下動可能に設置し、前記カット用パンチングピンのうち必要なカット用パンチングピンのみを、前記すべてのソート用パンチングピンと共に降下させて、カード類に前記各ソート用パンチングピンによる丸孔と、該丸孔のうち所定の丸孔と連なる所定のカット用パンチングピンによるカット孔を同時に穿孔することができるので、従来のカードパンチ装置に比べて迅速な作業が可能である。特に、本発明装置は、葬儀受付けにおいて預かった芳名カード、パーティにおける出席者カード、あるいは年賀はがき等のポストカードのようなカード類を整理および管理において極めて有用である。
【図面の簡単な説明】
【００１２】
【図１】本発明カード類の整理および管理用カードパンチ装置の正面図である。
【図２】同右側面図である。
【図３】図１のＡ−Ａ線断面図である。
【図４】図１のＢ−Ｂ線断面図である。
【図５】本発明カード類の整理および管理用カードパンチ装置において、押圧プレートの前面板を取外して示す要部の正面図である。
【図６】本発明カード類の整理および管理用カードパンチ装置において、カード類に穿孔する前の状態を示す要部の縦断面図である。
【図７】図６のＣ−Ｃ線断面図である。
【図８】図６のＤ−Ｄ線断面図である。
【図９】本発明カード類の整理および管理用カードパンチ装置において、カード類に穿孔した状態を示す要部の縦断面図である。
【図１０】本発明カード類の整理および管理用カードパンチ装置において、押圧板により押圧されていないカット用パンチングピンの状態を示す要部の縦断面図である。
【図１１】本発明カード類の整理および管理用カードパンチ装置において、切断ピンを底部から見た斜視図である。
【図１２】同要部の縦断面図である。
【図１３】本発明装置を用いて穿孔した芳名カードの平面図である。
【実施例】
【００１３】
本発明の実施例を図面に基づいて詳細に説明する。従来のカードパンチ装置が、ソート用の複数個の丸孔を穿孔するソート用パンチングピンを、複数本一定間隔を有して１列に配設しているのに対し、本発明カード類の整理および管理用カードパンチ装置は、従来の前記ソート用の丸孔を穿孔する各ソート用パンチングピンの背面側に、該各ソート用パンチングピンに摺接して、振るい落し用のカット孔を穿孔するカット用パンチングピンを上下動可能に設置し、前記カット用パンチングピンのうち必要なカット用パンチングピンのみを、前記すべてのソート用パンチングピンと共に降下させて、カード類に前記各ソート用パンチングピンによる丸孔と、該丸孔のうち所定の丸孔と連なる所定のカット用パンチングピンによるカット孔を同時に穿孔することができるようにしたものである。なお、本発明装置は、電気を使用しない手動式でも、または電気を使用する電動式でも操作可能であるが、説明の都合上、本発明は手動式のものとして説明する。
【００１４】
図１は、本発明カード類の整理および管理用カードパンチ装置の正面図、図２は同側面図である。図１において、基台１の先方側両側部に一対のガイド軸２・２が立設固定されており、該両ガイド軸２・２には、前記基台１の巾とほぼ同一長さを有する肉厚のガイドプレート３が貫挿固定され、且つ前記基台１とガイドプレート３間は、少なくとも１枚のカード類４の先方部を挿入できる隙間を備えた挿入部５が形成されている。前記挿入部５は、基台１とガイドプレート３の両端部に、前記カード類４の横巾と一致する巾の間隔を有して固定された隙間保持板６によって形成されており、更に前記ガイドプレート３の手前側縁部には、前記挿入部５に挿入されたカード類４の先端縁が当接して、それ以上の挿入を阻止するストッパー７が固定されている。
【００１５】
前記ガイドプレート３の両端部の一対のガイド軸２・２には、押しばね８が貫挿されると共に、該ガイドプレート３上方には、ピン保持プレート９の上面に、わずかな隙間１０を有して該ピン保持プレート９と押圧プレート１１とが一体に固定されると共に、前記ガイド軸２・２に上下動可能なるよう、前記押しばね８上のガイド軸２・２に遊挿して設置され、且つ前記ピン保持プレート９と押圧プレート１１とは、前記押しばね８によって常に上方側へ付勢されている。
【００１６】
前記ピン保持プレート９と押圧プレート１１とを、前記押しばね８に抗して、前記ガイド軸２・２をガイドとして降下させてカード類４に穿孔するための降下手段１２が設置されている。前記降下手段１２は、押圧レバー等を使用する手動式、あるいはモータや電磁石等を使用する電気式のいずれも採用できる。図１・図２においては、降下手段１２として、前記押圧プレート１１の上面中央に突設された、手動で押圧操作をする押圧レバー１２ａが図示されている。以下、説明の都合上、降下手段１２を押圧レバー１２ａとして説明する。
【００１７】
前記押圧レバー１２ａを下方へ押圧すると、該ピン保持プレート９と押圧プレート１１とを、該押しばね８に抗して、前記ガイド軸２・２をガイドとして降下させて、カード類４に穿孔する。そして、前記押圧レバー１２ａの押圧を解除すると、前記押しばね８が弾発して、前記ピン保持プレート９と押圧プレート１１とは、上昇して元の状態へ復帰するよう形成されている。
【００１８】
前記ピン保持プレート９の手前側には、カード類４の先端部の所定個所に、検索項目に対応してソートするための、ソート用の丸孔１３を穿孔するソート用パンチングピン１４が複数本一定間隔を有して、その上端部が前記ピン保持プレート９から上方へ突出しないようにして、垂設固定されると共に、前記ピン保持プレート９に垂設されたソート用パンチングピン１４の右側面には、カード類４の表面の右側端部に、前記カード類４の表側をすべて上面側にして揃える目印となる切断面１５を形成するため、切断刃１６を下端面に備えた切断ピン１７が、その上端部を前記ピン保持プレート９から上方へ突出しないようにして垂設固定されている。なお、前記切断ピン１７は、特に限定する必要はないが、好ましくは、図１１・図１２に示すように、三角形状の切断刃１６を下端部に備えた横断面三角形状に形成することが推奨される。
【００１９】
また、前記ピン保持プレート９の先方側には、前記各ソート用パンチングピン１４に摺接して、前記ソート用の丸孔１３に連なるカット孔１８を穿孔するためのカット用パンチングピン１９が、上下動可能となるよう、該ピン保持プレート９に穿設された、カット用パンチングピン１９用の挿通孔２０にそれぞれ遊挿されると共に、且つ各カット用パンチングピン１９の上方部は、前記ピン保持プレート９を貫挿して上方へ突出して、前記押圧プレート１１の底板２１に各穿設された挿通孔２２に遊挿される一方、前記各カット用パンチングピン１９の上端には、前記挿通孔２２より径大なフランジ２３が突設されていて、該挿通孔２２の上部内周部に、該フランジ２３と同一径および高さに凹設された環状段部２４に前記フランジ２３が嵌合係止して、前記各カット用パンチングピン１９が押圧プレート１１より落下離脱するのを阻止すると共に、該押圧プレート１１が降下していないときには、前記フランジ２３の上面が前記押圧プレート１１の底板２１と面一となるように形成されている。
【００２０】
そして、前記ソート用パンチングピン１４とカット用パンチングピン１９とは、図７・図８に示すように、該カット用パンチングピン１９のソート用パンチングピン１４に接する面に湾曲凹部２５を垂直に凹設して、該湾曲凹部２５にソート用パンチングピン１４の先方側湾曲周面が密接しながら、前記カット用パンチングピン１９が、上下方向に摺動可能に形成されている。なお、ソート用パンチングピン１４とカット用パンチングピン１９は、カード類４に穿孔したときに、前記カット用パンチングピン１９によって穿孔されたカット孔１８が該カード類４の上端縁に開口部１８ａを形成できる位置に設置する必要がある。
【００２１】
また、前記ピン保持プレート９に固定されたソート用パンチングピン１４、および該ピン保持プレート９に上下動可能に遊挿されると共に、押圧プレート１１の底板２１の挿通孔２２に遊挿されたカット用パンチングピン１９の下方部は、前記ガイドプレート３に穿設された、前記ソート用パンチングピン１４およびカット用パンチングピン１９が接合した状態の径より、やや径大のほぼ「８の字」状の挿通孔２６に遊挿され、カード類４の穿孔時に、該ガイドプレート３下方に下降して、該カード類４に穿孔するよう形成されている。更に、前記切断用ピン１７の下方部は、前記ガイドプレート３に穿設された挿通孔２７に遊挿され、カード類４の穿孔時に、該ガイドプレート３下方に下降して、該カード類４の右側端部斜め方向に切断面１５を形成する。
【００２２】
一方、前記ピン保持プレート９に配設されたソート用パンチングピン１４およびカット用パンチングピン１９を、前記ガイド軸２・２の押しばね８に抗して下方へ押圧する押圧プレート１１は、中空室２８を備えて方形筒状に形成され、且つ該押圧プレート１１の中空室２８には、所定のカット用パンチングピン１９のみを上方より押圧する押圧板２９を左右方向に移動させる案内軸３０が、間隔をおいて設置された取付けプレート３１に固定して横設されると共に、前記押圧プレート１１を構成する前方側板３２には、前記すべてのソート用パンチングピン１４と共に、所定のカット用パンチングピン１９を下方へ押圧して前記丸孔１３に連なるカット孔１８を穿孔するための、所定のカット用パンチングピン１９を選択すべく、前記押圧板２９を移動させる案内窓３３が横方向に開口されている。
【００２３】
また、前記押圧プレート１１の中空室２８の内方に横設された案内軸３０には、前記各カット用パンチングピン１９のうち、所定のカット用パンチングピン１９を上方より押圧する押圧板２９が左右方向に移動自在となるように軸装されると共に、該押圧板２９を前記案内窓３３の外から手動で左右方向に移動させるべく、前記押圧板２９の前方側には操作用摘み３４が突設して形成されている。
【００２４】
なお、前記押圧板２９の横巾、および前後方向巾は、所定の各カット用パンチングピン１９の上端部を上方より平均して押圧できる巾に形成されることが好ましい。
【００２５】
前記したように、前記押圧プレート１１の底板２１の挿通孔２２には、図６に示すように、前記カット用パンチングピン１９が上下動可能に遊挿されると共に、該カット用パンチングピン１９の上端に突設されたフランジ２３が前記挿通孔２２の上部内周部に凹設された前記環状段部２４に嵌合係止し、該カット用パンチングピン１９の押圧プレート１１からの落下離脱を防止しているが、該カット用パンチングピン１９の上端部は、前記底板２１と面一にして係止することにより、前記押圧板２９の左右移動の障害とならないよう形成されている。
【００２６】
前記ソート用パンチングピン１４とカット用パンチングピン１９は、検索項目の数の分だけ設置される。一般に、カード類４を整理および管理するには、個人の名前、または法人の名称を５０音順に分類することが基本である。そして、前記５０音順に分類する基本分類の外に、例えば、葬儀における場合は、香典の金額による分類、あるいはパーティの場合は、男女別、または年齢別等に分けて分類する等の補助項目分類の２つに分けることができる。以下、本発明においては、説明の都合上、補助項目分類として、葬儀における香典の金額に特定して説明する。
【００２７】
前記したように、補助項目分類を、葬儀における香典の金額に特定すると、図１に示すように、前記案内窓３３は、押圧プレート１４の前方側板３２の中央部に５０音順用案内窓３３ａと、該５０音順用案内窓３３ａの右側に、金額を示す補助項目用案内窓３３ｂとに分離して開口されている。
【００２８】
前記５０音順用案内窓３３ａは、５０音順の１０行用として、それぞれ１０本ずつ所定間隔を有して保持プレート９に設置されたソート用パンチングピン１４とカット用パンチングピン１９の巾よりやや広く開口されると共に、該５０音順用案内窓３３ａの上方の前方側板３２の前記各ピン１４、１９に対応する位置には、図１に示すように、５０音の各行音を示す「あ」・「か」・「さ」・「た」・「な」・「は」・「ま」・「や」・「ら」・「わ」の５０音行表示３５がなされている。
【００２９】
前記案内軸３０には、図５に示すように、前記１０本の５０音順用のカット用パンチングピン１９のうち、所定のカット用パンチングピン１９を上方より押圧する５０音順用押圧板２９ａが左右方向に移動自在となるように軸装されると共に、該５０音順用押圧板２９ａを前記５０音順用案内窓３３ａの外から手動で左右方向に移動させるべく、前記５０音順用押圧板２９ａの前方側には５０音順用操作用摘み３４ａが突出して形成されている。
【００３０】
更に、前記金額等の補助項目用案内窓３３ｂは、香典金額を、特に限定する必要はないが、「５，０００円」・「１０，０００円」・「それ以外の金額」の３種類に分類して、該各金額用として、それぞれ３本ずつ所定間隔を有して保持プレート９に設置されたソート用パンチングピン１４とカット用パンチングピン１９の巾よりやや広く開口されると共に、該補助項目用案内窓３３ｂの上方の前方側板３２の前記各ピン１４・１９に対応する位置には、特に限定する必要はないが、例えば、図１に示すように、「５，０００円」を示す「５」、「１０，０００円」を示す「１０」およびその他の金額を示す「他」の金額等を表示する補助項目表示３６がなされている。
【００３１】
前記案内軸３０には、図５に示すように、前記３本の金額等の補助項目用のカット用パンチングピン１９のうち、所定のカット用パンチングピン１９と、該所定のカット用パンチングピン１９の前面側のソート用パンチングピン１４を上方より押圧する補助項目用押圧板２９ｂが左右方向に移動自在となるように軸装されると共に、該補助項目用押圧板２９ｂを前記補助項目用案内窓３３ｂの外から手動で左右方向に移動させるべく、前記補助項目用押圧板２９ｂの前方側には補助項目用操作用摘み３４ｂが突出して形成されている。
【００３２】
一方、前記基台１は、上面板３７がアルミニウム等の鋼板、または、硬質のプラスチック板で形成されると共に、該上面板３７の下面には空洞部３８を設けて底板３９が一体に固定されて形成され、更に、前記ソート用パンチングピン１４、カット用パンチングピン１９および切断ピン１７の下方部を、前記押圧プレート１４の降下操作により没入させて、カード類４にソート用の丸孔１３、および該丸孔１３に連なるカット孔１８を穿孔するためのピン没入孔４０と切断面１５を穿孔する切断ピン没入孔４１がそれぞれ穿設されて形成されている。
【００３３】
前記ピン没入孔４０は、図３に示すように、前記ソート用パンチングピン１４とカット用パンチングピン１９の下方部が摺接したまま遊挿して没入できるよう、該ソート用パンチングピン１４とカット用パンチングピン１９の摺接した径よりやや径大の８の字状に形成されている。また、前記切断ピン没入孔４１は、図３に示すように、該切断ピン１７の径よりやや径大に形成されている。
【００３４】
更に、前記挿入部５において、カード類４の先端縁が当接して、それ以上の挿入を阻止するストッパー７は、カード類４の先端縁部が、前記８の字状のピン没入孔４０の先端縁より先方側に位置するよう形成されている。そして、前記ストッパー７は、特に限定する必要はないが、好ましくは図３に示すように形成することが推奨される。すなわち、カード類４の先端縁部が前記ピン没入孔４０の先端縁より先方側に位置できるよう、該ピン没入孔４０の先端縁より手前側に突出した突出部４２を１個または複数個設けて形成される(図３においては、１個の突出部４２が形成されている)。前記のように、ストッパー７を形成することにより、図３の想像線で示すように、カード類４の先端縁が突出部４２に当接して、それ以上の挿入が阻止され、該カード類４の先端部が、前記ピン没入孔４０先端縁より先方側に位置するので、ソート用の丸孔１３とカット孔１８が同時に穿孔される。
【００３５】
そして、前記基台１の空洞部３８内に、前記各ピン１４・１９・１７により、カード類４を穿孔した切断片４３が落下して溜まるよう構成されている。なお、前記空洞部３８内に溜まった切断片４３は、基台１の底板３９に設けられた、図示していない排出部より排出して廃棄するよう形成されている。
【００３６】
前記のように構成された本発明装置の作用について説明する。先ず、所定のカード類４の表側を上面にして、その先方側を基台１の挿入部５へ挿入して前方側へ押圧挿入すると、該カード類４の先方端がストッパー７に当接してセットされる。そして、前記カード類４のセットの完了後、該カード類４の５０音順検索項目に合わせて、所定行音を選択すべく、５０音順用操作用摘み３４ａを所定の５０音行表示３５の位置まで移動して選択すると共に、更に、例えば、補助検索項目が金額である場合、所定の香典金額を示す補助項目表示３６の位置まで、補助項目用操作用摘み３４ｂを移動して選択する。
【００３７】
前記５０音順用操作用摘み３４ａおよび補助項目用操作用摘み３４ｂによる選択が完了した後、押圧レバー１２ａをガイド軸２・２の押しばね８に抗して降下させると、図３・図９に示すように、前記押圧プレート１１およびピン保持プレート９も共に降下すると共に、すべてのソート用パンチングピン１４および切断ピン１７、並びに前記５０音順用操作用摘み３４ａおよび補助項目用操作用摘み３４ｂによって選択された各押圧板２９ａ・２９ｂ下面のカット用パンチングピン１９のみが降下して、図１３に示すように、カード類４に丸孔１３、該丸孔１３に連なるカット孔１８、および切断面１５が１回のパンチング操作で同時に穿孔される。その後、前記押圧レバー１２ａの押圧状態を解除すると、前記押圧プレート１１およびピン保持プレート９が、共に押しばね８の弾発力により上昇して復帰し、穿孔されたカード類４を取出すことができる。
【００３８】
前記押圧プレート１１およびピン保持プレート９の上昇・復帰に伴い、前記選択されて前記ピン保持プレート９と共に降下したカット用パンチングピン１９は、そのフランジ２１が、前記押圧プレート１１の挿通孔２２の環状段部２４に嵌合係止するので、前記降下していたカット用パンチングピン１９は、前記挿通孔２２の環状段部２４に嵌合係止して上昇して復帰する（図６）。
【００３９】
なお、前記カット用パンチングピン１９のうち、前記５０音順用操作用摘み３４ａおよび補助項目用操作用摘み３４ｂによって選択されなかったカット用パンチングピン１９は、図１０に示すように、押圧板２９によって押圧されないので、前記押圧プレート１１およびピン保持プレート９と共に降下せず、該カット用パンチングピン１９によるカット孔１８は穿孔されない。このとき、前記選択されなかったカット用パンチングピン１９の頭部部分は、前記押圧プレート１１の中空室２８内に残留することとなるが、該頭部部分が押圧プレート１１の降下時に接触することはない。
【００４０】
以下、前記と同様の操作を繰返すことにより、カード類４に丸孔１３、および該丸孔１３に連なるカット孔１８、並びに切断面１５を穿孔した多数のカード類４が形成される。そして、前記多数のカード類４の切断面１５を右側に位置するよう揃えることにより、すべてのカード類４が表面を向いて揃い、その後、所定の検索項目にソート棒を差し込んで、従来と同様の作業により、カード類４を振るい落して、目的とするカード類４を検索することができる。なお、図３においては、丸孔１３、カット孔１８および切断面１５が形成され、葬儀に使用された芳名カードが図示されているが、本発明装置を使用することにより、その他、パーティの受付カード、ポストカード等のカード類にも使用することができる。
【符号の説明】
【００４１】
１  基台
２  ガイド軸
３  ガイドプレート
４  カード類
５  挿入部
６  隙間保持板
７  ストッパー
８  押しばね
９  ピン保持プレート
１０  隙間
１１  押圧プレート
１２  降下手段
１２ａ  押圧レバー
１３  丸孔
１４  ソート用パンチングピン
１５  切断面
１６  切断刃
１７  切断ピン
１８  カット孔        
１８ａ  開口部
１９  カット用パンチングピン
２０  貫通孔          
２０ａ  ソート用パンチングピン用貫通部
２０ｂ  カット用パンチングピン用貫通部
２１  底板
２２  挿通孔
２３  フランジ
２４  環状段部
２５  湾曲凹部
２６  ８の字状挿通孔
２７  挿通孔
２８  中空室
２９  押圧板          
２９ａ  ５０音順用押圧板
２９ｂ  補助項目用押圧板
３０  案内軸
３１  取付けプレート
３２  前方側板
３３  案内窓            
３３ａ  ５０音順用案内窓
３３ｂ  補助項目用案内窓
３４  操作用摘み        
３４ａ  ５０音順用操作用摘み
３４ｂ  補助項目用操作用摘み
３５  ５０音行表示
３６  補助項目表示
３７  上面板
３８  空洞部
３９  底板
４０  ピン没入孔
４１  切断ピン没入孔
４２  突出部
４３  切断片
【図１】
0005600519.tif 000002
【図２】
0005600519.tif 000003
【図３】
0005600519.tif 000004
【図４】
0005600519.tif 000005
【図５】
0005600519.tif 000006
【図６】
0005600519.tif 000007
【図７】
0005600519.tif 000008
【図８】
0005600519.tif 000009
【図９】
0005600519.tif 000010
【図１０】
0005600519.tif 000011
【図１１】
0005600519.tif 000012
【図１２】
0005600519.tif 000013
【図１３】
0005600519.tif 000014